(57)【要約】      （修正有）【課題】ＰＣカメラからの画像をインターネットを経由して受信する画像の電子アドレスの設定ミスを防止する。【解決手段】部屋の中や必要な場面が見える位置にPCカメラを設定しておき、必要と思われる時間々隔を設定し、受信をする電子メールアドレスを設定する、必要な設定が完了した時点で電子メールアドレスに初回に着信が到着するので、電子アドレスが正しく設定されている事の確認出来るので、安心して外出する事ができる。そして、パソコンからサーバーを経由して着信信号が届いた時にでも、画像の確認が不要と思われる時には画像の受信の為の発信を止める事も出来る。そして、パソコン内には撮影された全ての画像が保存されているので、後から画像内容を再確認する事も可能である。【選択図】図１
2004194163.tif 000002
【特許請求の範囲】
【請求項１】
ＰＣカメラからの画像情報を、事前のタイマー間隔の設定による方法と、PCカメラに影等が認識された時に、常時接続のパソコンあるいはダイアルアップによりサーバーに情報が送られる、サーバーからは移動体通信端末等の登録をしたアドレスに連絡先情報が送られ、その連絡を受け取った移動体通信端末は、サーバーから指定されたアドレスにアクセスする事で静止画像を受信するシステム。
【請求項２】
PCカメラの設定が終了した時点で、常時接続されたパソコンからサーバーに画像情報が送信され、その画像受信情報を受信設定された電子アドレスに送信する、これにより受信すべき電子アドレスが正しく設定されている事が確認されるシステム。
【請求項３】
PCカメラからパソコンを通してサーバーに送られた画像は、パソコン容量の限界を超えない限り、全ての画像をパソコン内に保管しているので、後から画像を確認したい場合にも簡単に画像情報が見る事が出来るシステム。
【発明の詳細な説明】
【０００１】
【発明の属する技術分野】
本発明は、住宅内外での様子を遠隔地で把握することのできるカメラとコンピューターそして、移動体通信端末やPCを活用する事に関するものである。
【０００２】
【従来の技術】
従来の画像の配信装置も、異常検知センサー及び監視カメラにて異常を検知し、動画で配信する方法が取られている（例えば、特許文献１参照。）。
携帯電話などから人的意思によって、画像情報をパソコンや携帯電話に配信するシステム（例えば、特許文献２参照。）。
あるいは、所定の時刻に画像を表示する装置（例えば、特許文献３参照。）
ＰＣカメラで撮った画面をサーバー経由で端末に送ったり、端末側からＰＣカメラを呼び出し、画像を取り寄せる装置（例えば、特許文献４参照。）。
【０００３】
【参考文献１】
特開２００１−２４５０６９号公報
【参考文献２】
特開２００２―７７８６０号公報
【参考文献３】
特開２００２―１７１３６２号公報
【参考文献４】
特開２００２−１９９３８６号公報
【０００４】
PCカメラやデジタルカメラからの画像を、パソコン経由で携帯電話に転送する方式はすでに実用化されている。
【０００５】
【発明が解決しょうとする課題】パソコンの常時接続されたあるいはダイアルアップにインターネットに接続される条件下において、ＰＣカメラの画像のサーバーへの着信を、指定された電子メールアドレスに伝える事で電子アドレスの設定ミスを防ぐ。
【０００６】
ＰＣカメラで撮られた画像を移動通信端末で誤って削除してしまっても、パソコン内には全ての画像が保管されているのでそれを見る事ができる。
【０００７】
【課題を解決するための手段】一定時間内の撮影時間々隔設定により、ＰＣカメラの画像をパソコンよりサーバーに発信する、そのサーバーが決められた電子アドレスに画像着信の信号を発信する。その信号を受け取った時に指定されているＵＲＬに発信する事で、PCカメラで撮影された画像を入手する事が出来る。
【０００８】
PCカメラの感度を設定し、その感度を越えた場合にだけパソコン経由でサーバーに連絡が行き、事前に指定された電子アドレスにそのサーバーより画像着信の信号を発信する。その信号を受け取った時に指定されているＵＲＬに発信する事で、PCカメラで撮影された画像を入手する事が出来る。
【０００９】
毎月の定額をサーバー使用料としてお客様に負担して頂く事で、毎月無制限に使用が可能となるので、ヘビーユーザーには大きなメッリットが生じる。
【００１０】
【発明の実施の形態】
以下、本発明の実施の形態について、図面を参照して説明する。
【００１１】
図１は、本発明の移動体通信端末を利用した、遠隔地での情報の受信システムの全体構成を示す概略図である。
【００１２】
ＰＣカメラの設定が完了すると、指定した電子メールアドレスにサーバーからの信号が受信される、その信号を受信する事で設定した電子メールアドレスが正しい事が確認できる。
【００１３】
その後に、設定時間毎に設定された電子メールアドレスにサーバーからの連絡が入り、アクセス先のＵＲＬが送信されてくる。あるいは、ＰＣカメラが設定感度以上になった場合にも同様である。
【００１４】
受信したＵＲＬに発信することで、ＰＣカメラの映像がパソコンを通して見る事ができる、万が一確認をする事が不要であれば、指定されたＵＲＬに発信しなくてもよい、その場合にもパソコン内には画像情報が蓄えられている。
【００１５】
サーバーには最新の画像１０枚が保管されるが、パソコン内には削除しない限り、容量が一杯になるまでの画像とその記録が残される。
【００１６】
サーバーからの着信連絡を受けた移動体通信端末から、指定のアドレスに発信する事で画像が確かめられるが、画像の確認の必要がない場合には所定のアドレスに発信する必要が無いので、利用者の判断で選択が可能である。
【００１７】
【発明の効果】自宅の情報を遠隔地で見る事ができるので、火災や留守宅狙いが発生しても、即座に警察や消防に連絡ができるので、被害を最小限度にとどめることができる。         
【００１８】
家庭で飼っているペットの状態が遠隔地で見る事ができるので、出張等で家を開けていても安心できる、また緊急の場合が発生しても近所の人や警察に即刻連絡ができるので、安心である。
【００１９】
複数のペットを一時的に預るペットショップでペットの状況を、お客様毎にペットの画像を送信できるので、預けたお客様にも画像を見て安心して預ける事ができる。
【００２０】
玄関や窓にPCカメラを装着する事で、不審者が居た場合には顔や風体が送られて来るので、遠隔地から警察に即刻通告できる。
【００２１】
自宅に徘徊老人がいて外出も出来ない人も、ご老人の姿を目で確認出来るので、短時間の買い物などの時に安心である。
【００２２】
小さな静止画像を受信するので、携帯電話のメモリーを全く気にせずに受信できる。
【００２３】
セットした時に送信先電子アドレスに自動的に１枚画像が送信される仕様としており、その画像を見る事で、メールアドレスの間違いの確認が出来るので、初めて使用される方にも安心して外出ができる事となる。
【００２４】
３０万画素程度のカメラで十分な機能を果たすので、イニシャルコストも数千円程度で購入が可能であり経済的負担も軽い。
【００２５】
移動体端末に届けられる画像も数キロバイトの小さなものであり、ストレスを感じない速度での受信が可能となる。
【００２６】
受信するのが移動体通信端末だけでなく、PCへの受信も事前の登録設定によって可能になるので、一度に６箇所の電子メールアドレス迄設定でき発信される。
【００２７】
毎月のサーバー使用料も極めて安く、年間を通じても経済的負担が少なくてすむ。
【００２８】
【図面の簡単な説明】
【図１】本発明の移動体通信端末を利用した自宅内外での情報をリアルタイムに受信する為のシステム構成を示す概略図である。
【図２】通常の画面であり、このソフトウエアを設定したり、感度テストを行う画面。
【図３】撮影方法の設定を行う。使用しているPCカメラの選択を行い。写真の撮影間隔を１０分単位で設定し、撮影時間もここで設定する。
【図４】緊急メール感知センサーの設定。緊急メール感知センサーで感知した時に、発信するメールの頻度や、感知した時に発生させる音を設定する。
【図５】画面画像の送信先を設定する画面であり、最大６件までの連絡先の登録が可能である。
【図６】インターネットへの接続方式の設定を選択する。
【図７】パソコン内に自動保存された画像を保管するフォルダを現しており、全ての画像が保存されているので帰宅後に再度画像を確認したい場合には、見たい撮影開始時間を選択する事でその画像を見る事ができる。
【符号の説明】
（図１）
1  検出機器
2  パソコン
3  ターミナルアダプター
4  自社サーバー
5  携帯電話器（移動体通信端末）
Ｎ1  インターネット網
Ｎ2  移動通信端末網
N3  画像情報入手の連絡
N4  サーバーから画像の入手
【図１】
2004194163.tif 000003
【図２】
2004194163.tif 000004
【図３】
2004194163.tif 000005
【図４】
2004194163.tif 000006
【図５】
2004194163.tif 000007
【図６】
2004194163.tif 000008
【図７】
2004194163.tif 000009